(57)【要約】【課題】光学式ピックアップより照射されるレーザー光によってディスクに信号を記録することが出来る光ディスク記録再生装置を提供する。【解決手段】角速度一定にて回転するディスク１に信号を記録しているとき、記録信号の量が不足した場合に記録動作を一旦中断させ、且つ記録信号の量が増大したとき記録中断位置より記録動作を再開させるように構成された光ディスク記録再生装置において、記録中断位置のアドレスを記憶し、記録中断位置より後退した位置に記録されている信号の再生動作を行い、その再生信号より得られる同期信号と記録用同期信号とを同期させることによって記録中断位置より記録動作を再開させるように構成し、光学式ピックアップ２を記録中断位置より後退させるとき、該後退位置の記録速度に対応した速度による再生動作を行う状態にデジタル信号処理回路５をセットする。【選択図】　　図１
2004030741.tif 000002
【特許請求の範囲】
【請求項１】
角速度一定にて回転するディスクに信号を記録するとともにコンピューター装置より出力される記録信号が一旦記憶されるバッファ用ＲＡＭに記憶されている信号の量が不足したとき記録動作を一旦中断させ、且つ該バッファ用ＲＡＭに記憶されている信号の量が増大したとき記録中断位置より記録動作を再開させるように構成された光ディスク記録再生装置において、記録中断位置のアドレスを記憶し、記録中断位置より後退した位置に記録されている信号の再生動作を行い、その再生信号より得られる同期信号と記録用同期信号とを同期させることによって記録中断位置より記録動作を再開させるように構成し、光学式ピックアップを記録中断位置より後退させるとき、該後退位置の記録速度に対応した速度による再生動作を行う状態にデジタル信号処理回路をセットするようにしたことを特徴とする光ディスク記録再生装置の記録制御方法。
【請求項２】
デジタル信号処理回路に組み込まれている発振器の周波数を再生動作を行う周波数に設定するようにしたことを特徴とする請求項１に記載の記録制御方法。
【発明の詳細な説明】
【０００１】
【発明の属する技術分野】
本発明は、光学式ピックアップに組み込まれているレーザー素子より照射される光ビームによってディスクに信号を記録するとともに光ビームによってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップに組み込まれているレーザー素子より照射される光ビームによってディスクに信号を記録することが出来るように構成された光ディスク記録再生装置が商品化されている。
【０００３】
【発明が解決しようとする課題】
光ディスク記録再生装置では、ホスト機器であるコンピューター装置からの記録命令に従って信号の記録動作を行うように構成されているが、斯かる記録動作はディスクに記録する信号を一旦バッファ用ＲＡＭに記憶させ、該バッファ用ＲＡＭに記憶されている信号を読み出すことによってディスクへ信号の記録動作を行うように構成されている。
【０００４】
ディスクへの信号の記録動作が正常に行われている状態では、コンピューター装置より出力される記録信号のバッファ用ＲＡＭへの書き込み動作及び該バッファ用ＲＡＭからの信号の読み出し動作、そして読み出された信号のディスクへの記録動作が記録信号の量やディスクへの記録状況に対応して行われる。
【０００５】
信号の記録動作を行っている状態において、バッファ用ＲＡＭに記憶されている記録信号の量が不足するとディスクへの信号の記録動作が行えない状態、所謂バッファアンダーランと呼ばれる状況になる。斯かる問題を解決する方法として、バッフア用ＲＡＭに記憶されている記録信号の量が所定値、即ち中断設定値以下になると、ディスクへの記録動作を一旦中断させ、バッフア用ＲＡＭに記憶されている記録信号の量が所定値、即ち再開設定値より多くなったとき、ディスクへの記録動作を記録の中断位置から再開させるようにした技術が開発されている。
【０００６】
光ディスク記録再生装置におけるディスクへの記録動作は、線速度一定の状態にて行われるが、ディスクを線速度一定の状態にて回転駆動する場合、ディスクの内周側の方が外周側よりもディスクの回転角速度が高速になる。従って、ディスクの内周側から外周側まで高速の同一の線速度一定にて回転駆動させることは困難である。
【０００７】
斯かる問題を解決する方法として角速度一定の状態にて記録動作を行うように構成された技術が開発されている。角速度一定による記録動作を行う場合には、記録位置がディスクの外周側へ移動するに従って記録位置における線速度が高速になるため、その速度に対応させてデジタル信号処理を行うクロック信号の周波数を変更する制御動作が行われる。
【０００８】
角速度一定にて回転するディスクへの記録動作は、記録位置がディスクの外周側へ移動するに従ってデジタル信号処理を行うクロック信号の周波数を変更させるように構成されている。そして、前述した記録中断再開動作を行う技術は、ディスクに記録中断前に記録されている信号の再生動作を行い、その再生される信号に基づいて記録動作を再開させるように構成されているので、記録中断位置より光学式ピックアップを後退させたときディスクに記録されている信号の再生動作を速やかに行う必要がある。
【０００９】
本発明は、前述した光ディスク記録再生装置に適した記録制御方法を提供しようとするものである。
【００１０】
【作用】
本発明は、記録中断位置のアドレスを記憶し、記録中断位置より後退した位置に記録されている信号の再生動作を行い、その再生信号より得られる同期信号と記録用同期信号とを同期させることによって記録中断位置より記録動作を再開させるように構成し、光学式ピックアップを記録中断位置より後退させるとき、該後退位置の記録速度に対応した速度による再生動作を行う状態にデジタル信号処理回路をセットするように構成されている。
【００１１】
【実施例】
図１は本発明に係る光ディスク記録再生装置の一実施例を示すブロック回路図、図２はディスクの説明図である。図１において、１はスピンドルモーターＭによって回転駆動されるターンテーブル（図示せず）に載置されるディスクであり、該ターンテーブルの回転により回転駆動されるように構成されている。また、前記ディスク１には、位置情報データがウォブルと呼ばれる溝によって記録されており、この溝より得られるウォブル信号に基づいて信号の記録再生動作が行われるように構成されている。２はディスク１に光ビームを照射させるレーザー素子（図示せず）及び該レーザー素子より照射される光ビームのレベルをモニターするモニター用ダイオードが組み込まれているとともにディスク１の信号面より反射される光ビームを受ける光検出器が組み込まれている光学式ピックアップであり、ピックアップ送り用モーター（図示せず）によってディスク１の径方向に移動せしめられるように構成されている。
【００１２】
３は前記光学式ピックアップ２に組み込まれている光検出器から得られるＲＦ信号を増幅するとともに波形成形するＲＦ信号増幅回路、４は前記光学式ピックアップ２に組み込まれている光検出器から得られる信号に基づいて前記光学式ピックアップ２より出力される光ビームをディスク１の信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。
【００１３】
５は前記ＲＦ信号増幅回路３より出力される信号のデジタル信号処理を行うとともに各種信号の復調動作を行うデジタル信号処理回路、６は前記デジタル信号処理回路５にて信号処理されたデジタル信号が入力される信号再生用回路であり、ディスク１に記録されている情報がオーディオ信号である場合には、アナログ信号に変換した後増幅器等に出力し、コンピューターソフトのようなデータ信号の場合にはデジタル信号のままホスト機器として設けられているコンピューター装置７に出力する作用を成すものである。
【００１４】
８は前記デジタル信号処理回路５によって復調された信号が入力されるとともに前記コンピューター装置７から出力される命令信号に応じて種々な制御動作を行うシステム制御回路である。９はテスト信号や情報信号等の記録信号が入力されるとともにその信号をエンコード処理した後レーザー駆動回路１０に供給し、該レーザー駆動回路１０によるレーザーの照射動作を制御することによってデータ信号等を前記ディスク１に記録させる信号記録用回路である。
【００１５】
１１はディスク１に記録される信号が一旦記憶されるバッファ用ＲＡＭであり、前記コンピューター装置７より出力される信号が書き込まれるとともにシステム制御回路８の制御動作によって信号の記憶動作及び読み出し動作が制御されるように構成されている。そして、前記バッファ用ＲＡＭ１１へ記憶された信号は、ディスク１に記録するべく読み出された後も記憶保持された状態にあり、その後コンピューター装置７より出力される新しい信号がその位置に記憶されることによって順次上書き消去されるように構成されている。
【００１６】
１２は前記システム制御回路８によって動作が制御されるスピンドルモーター駆動回路であり、ディスク１を回転駆動させるスピンドルモーターＭを記録再生動作を行うための速度にて回転駆動制御する作用を有している。また、前記スピンドルモーター駆動回路１２によるスピンドルモーターＭの回転制御動作は、角速度一定による駆動制御動作を行うことが出来るように構成されている。
【００１７】
１３はディスク１への記録動作を行っているとき記録位置を示すアドレスが記憶されるアドレスメモリー回路、１４は記録動作の再開動作を行う場合にディスク１から再生される同期信号と記録用のクロック信号とが同期するように制御する同期処理回路である。
【００１８】
斯かる構成において、ディスク１への信号の記録動作時、バッファ用ＲＡＭ１１にはコンピューター装置７から出力される信号が記憶され、その記憶されている信号の読み出し動作を制御することによってディスク１への信号の記録動作を制御するように構成されている。
【００１９】
また、ディスク１への信号の記録動作が行われている間、システム制御回路８により制御されるアドレスメモリー回路１３に正常記録動作が行われた位置の最終アドレスが記憶されるとともに読み出された記録信号の位置を示すメモリー用アドレスがシステム制御回路８に組み込まれているメモリーに記憶されるように構成されている。記録動作時にバッフア用ＲＡＭに記憶されている記録信号の量が不足するバッファアンダーラン状態になり、記録動作が中断された場合には、後述する動作によって前記メモリー回路に記憶されている最終アドレスに基づいて中断した位置より信号をシームレスにて記録動作を行うことが出来るように構成されている。
【００２０】
以上の如く、本発明に係る光ディスク記録再生装置は構成されているが、次に斯様に構成された回路における再生動作について説明する。コンピューター装置７よりドライブ装置を構成するシステム制御回路８に対して再生動作を行うための命令信号が出力されると、該システム制御回路８による再生動作のための制御動作が開始される。斯かる再生動作が行われる場合には、光学式ピックアップ２に組み込まれているレーザー素子には、信号の読み出し動作を行うためのレーザー出力が得られる駆動電流がレーザー駆動回路１０より供給されるように設定されている。
【００２１】
斯かる再生動作のための制御動作が開始されると、スピンドルモーター駆動回路１２によるスピンドルモーターＭの角速度一定による回転制御動作が行われるが、斯かるスピンドルモーターの回転制御動作は、スピンドルモーターＭの回転によって生成される信号を利用して行われることになる。そして、斯かる回転制御動作は、後述する信号の記録動作時にも同様に行われる。
【００２２】
スピンドルモーターの回転制御動作は、以上の如く行われるが、信号の読み出し動作を行う光学式ピックアップ２では、フォーカシング制御動作及びトラッキング制御動作が開始されて該光学式ピックアップ２によるディスク１からの信号の読み出し動作が開始されるが、再生動作に先だってディスク１の最初のセッションを構成するリードイン領域に記録されているＴＯＣデータの読み出し動作が行われる。
【００２３】
ディスク１に記録されている最初のセッションの信号記録領域に記録されている信号の読み出し再生動作は、リードイン領域に記録されているＴＯＣデータに基づいて行われることになる。前記光学式ピックアップ２によって読み出された信号は、ＲＦ信号増幅回路３を通して増幅及び波形成形された後デジタル信号処理回路５に入力されて信号の復調動作が行われる。前記デジタル信号処理回路５により信号処理が行われて情報データが抽出されると、該情報データは誤り訂正等の信号処理が行われた後、信号再生用回路６に印加される。
【００２４】
そして、前記信号再生用回路６は、ディスク１から読み出された情報データがオーディオ信号である場合には、アナログ信号に変換した後増幅器等に出力し、コンピューターソフトのようなデータ信号の場合にはデジタル信号のままコンピューター装置７に出力することになる。
【００２５】
このように本実施例における再生動作は行われるが、ディスクは角速度一定にて回転駆動されているため、再生位置が内周側より外周側へ移動するに従って再生位置における線速度が早くなるため、デジタル信号処理回路５に組み込まれているデコード回路等を制御する再生用クロック信号の周波数を高くする処理がシステム制御回路８によって行われる。斯かる再生用クロック信号の周波数を高くする処理動作は、例えばＰＬＬ回路を構成するＶＣＯ（電圧制御発振器）の電圧を制御することによって行うことが出来る。
【００２６】
以上に説明したように本実施例における再生動作は行われるが、次にディスク１への信号の記録動作について説明する。
【００２７】
ディスク１に信号を記録する動作は、まずディスク１に設けられている試し書き領域にテスト信号を記録することによってディスク１の特性に最も適したレーザー出力を設定するための動作が行われる。斯かる設定動作は、レーザー出力を変化させながらテスト信号を記録するとともにその記録された信号を再生することにより行われる。
【００２８】
斯かるレーザー出力の設定動作が行われると、ディスク１のバッファと呼ばれる領域に記録されている情報データ、即ち信号記録領域に記録されている信号の位置情報等を読み出す動作が行われる。そして、このようにして読み出された情報データに基づいてディスク１に設けられている信号記録領域にデータ信号の記録動作が可能であるか、また、記録動作を行う位置は何処か等の認識動作が行われる。
【００２９】
斯かる認識処理動作が終了すると、光学式ピックアップ２をディスク１上の記録動作を開始する位置まで移動させるとともにバッファ用ＲＡＭ１１への記録信号の書き込み動作が行われる。前記バッファ用ＲＡＭ１１への信号の書き込み動作が行われると、該バッファ用ＲＡＭ１１に記憶される信号の記憶量が次第に上昇することになる。その記憶量が所定量を越えると、前記バッファ用ＲＡＭ１１に記憶されている信号を読み出し、その読み出された信号を前記信号記録用回路９に入力せしめる。その結果、前記信号記録用回路９によるレーザー駆動回路１０の制御動作が行われ、ディスク１に信号が記録されることになる。
【００３０】
斯かる動作によってディスク１への信号の記録動作は行われるが、前記バッファ用ＲＡＭ１１への信号の書き込み動作は、該バッファ用ＲＡＭ１１からの信号の読み出し動作に応じて行われるように構成されている。そして、記録動作が正常に行われている状態では、ディスク１への信号の記録動作が行われる毎にその位置を示すアドレス、即ち最終アドレスをアドレスメモリー回路１３に記憶する動作が行われている。
【００３１】
このようにしてディスク１への信号の記録動作は行われるが、ディスクは角速度一定にて回転駆動されているため、記録位置が内周側より外周側へ移動するに従って記録位置における線速度が早くなるため、信号記録用回路９に組み込まれているエンコード回路等を制御する記録用クロック信号の周波数を高くする処理動作がシステム制御回路８によって行われる。斯かる記録用クロック信号の周波数を高くする処理動作は、例えばＰＬＬ回路を構成するＶＣＯ（電圧制御発振器）の電圧を制御することによって行うことが出来る。
【００３２】
そして、ディスク１への信号の記録動作を行っている状態において、コンピューター装置７より出力されてバッファ用ＲＡＭ１１に書き込まれる信号の量がディスク１に記録されるために読み出される信号の量に比較して少なくなると、該バッファ用ＲＡＭ１１に記憶されている記録信号の量が次第に減少することになる。前記バッファ用ＲＡＭ１１に記憶されている記録信号の量が減少して所定の量になると、即ち、バッファアンダーラン状態になると、ディスク１への記録動作を中断させる制御動作が行われる。斯かる中断動作が行われると、前記バッファ用ＲＡＭ１１からの信号の読み出し動作も中断されることになる。
【００３３】
前述した中断動作が行われると、ディスク上の中断位置、例えば図２のＡで示す位置のアドレスがアドレスメモリー回路１３に記憶される動作及びバッファ用ＲＡＭ１１から読み出された最終の記録信号が記憶されていた位置を示すメモリー用アドレスがシステム制御回路８内に設けられているメモリーに記憶される。
【００３４】
斯かる状態において、コンピューター装置７より記録信号が出力されると、その記録信号を前記バッファ用ＲＡＭ１１に書き込む制御動作が行われることになり、該バッファ用ＲＡＭ１１に記憶されている記録信号の量が次第に増加することになる。前記バッファ用ＲＡＭ１１に記憶されている記録信号の量が増加し、その量が所定量に達すると、記録動作を再開させるための制御動作が行われる。
【００３５】
斯かる記録再開動作は、まず、光学式ピックアップ２を記録動作を開始させる位置、即ち記録動作を中断した位置Ａより後退させた位置Ｂに変位させた後、その位置より再生動作を行うことより行われる。記録を中断させた位置Ａは、正常記録動作が行われる毎にアドレスメモリー回路１３に記憶されている最終アドレスより容易に認知することが出来るとともに光学式ピックアップ２を所望の位置Ｂに移動させることが出来る。
【００３６】
斯かる再生動作によって再生される信号は、記録動作を中断させる直前に記録されていた信号であり、再生された信号の中から同期信号の抽出動作が行われる。このようにして抽出される同期信号と記録動作を行う記録用クロック信号の同期信号との同期処理が同期処理回路１４によって行われる。
【００３７】
前記同期処理回路１４による同期処理が行われると、ディスク１に記録されていた信号の同期信号に同期した記録用クロック信号を生成させることが出来る。そして、光学式ピックアップ１の光ビームの照射位置が記録中断位置Ａまで移動したとき再生状態より記録状態への切り換え動作が行われる。斯かる切り換え動作が行われると、記録中断前に読み出された信号が記憶されていたメモリー用アドレスに基づいてバッファ用ＲＡＭ１１から信号の読み出し動作が開始される。このようにして読み出される記録信号は、記録中断前に読み出されていた信号に続く信号であり、斯かる信号が記録中断位置Ａからディスク１上に記録されるので、ディスク１には記録中断前に記録された信号と再開によって記録される信号とが連続して記録されることになる。
【００３８】
以上に説明したように記録中断動作及び記録再開動作は行われるが、本発明では、記録再開動作を行うために光学式ピックアップ２を記録中断位置Ａより後退さした位置Ｂに記録されている信号の再生動作を行うために適したデジタル信号処理を行う状態にデジタル信号処理回路５をセットする動作が行われる。即ち、記録中断位置Ａから後退した位置であるＢ点に記録されている信号の再生速度は、その部分に信号を記録した記録速度に依存する。記録中断位置Ａのアドレス及びディスク１の回転数からその位置におけるおよその記録速度を算出することが出来るので、その位置より後退した位置Ｂに記録されている信号の記録速度を算出し、その記録速度に適した再生動作を行うためにデジタル信号処理回路５のセット動作が行われる。斯かるセット動作は、前述したようにＰＬＬ回路を構成するＶＣＯの電圧を制御することによって行うことが出来る。
【００３９】
斯かるデジタル信号処理回路５のセット動作が光学式ピックアップ２のＢ位置への後退動作が行われる前に行われるので、該光学式ピックアップ２がＢ位置に後退したときには、ディスク１に記録されている信号の読み出し動作を正確に行うことが出来る状態にセットされているので、記録済み信号の再生動作を速やかに行うことが出来る。従って、記録中断後の記録再開動作を速やかに正確に行うことが出来る。
【００４０】
【発明の効果】
本発明は、角速度一定にて回転するディスクに信号を記録するとともにコンピューター装置より出力される記録信号が一旦記憶されるバッファ用ＲＡＭに記憶されている信号の量が不足したとき記録動作を一旦中断させ、且つ該バッファ用ＲＡＭに記憶されている信号の量が増大したとき記録中断位置より記録動作を再開させるように構成された光ディスク記録再生装置において、記録中断位置のアドレスを記憶し、記録中断位置より後退した位置に記録されている信号の再生動作を行い、その再生信号より得られる同期信号と記録用同期信号とを同期させることによって記録中断位置より記録動作を再開させるように構成し、光学式ピックアップを記録中断位置より後退させるとき、該後退位置の記録速度に対応した速度による再生動作を行う状態にデジタル信号処理回路をセットするようにしたので、記録済み信号の再生動作を速やかに行うことが出来る。従って、本発明によれば、角速度一定にて回転するディスクに信号を記録することが出来る光ディスク記録再生装置において、記録動作の中断再開動作を支障なく正確に行うことが出来る。
【図面の簡単な説明】
【図１】本発明に係る光ディスク記録再生装置の一実施例を示すブロック回路図である。
【図２】本発明に係るディスクの説明図である。
【符号の説明】
１　　　　ディスク
２　　　　光学式ピックアップ
４　　　　ピックアップ制御回路
５　　　　デジタル信号処理回路
７　　　　コンピューター装置
８　　　　システム制御回路
１１　　　　バッファ用ＲＡＭ
１２　　　　スピンドルモーター駆動回路
１３　　　　アドレスメモリー回路
１４　　　　同期処理回路
【図１】
2004030741.tif 000003
【図２】
2004030741.tif 000004